(57)【要約】      （修正有）【課題】棒状またはパイプ状の吊持部材へ簡単かつ確実に取り付けて固定させることができる物品吊持具を提供する。【解決手段】本体１の下部に物品ｃに係止させてこの物品を吊持させるフック体１を設け、本体の上部に吊持部材ｂに係合する着脱部材３とを設けた物品吊持具Ａにあって、着脱部材は、本体の第一取付孔６へ挿着されてその外端部を開放させた第一帯体８と、本体の第二取付孔７へ挿着されてその外端部を開放させた第二帯体９と、これら第一および第二帯体との内端部における当接部に設けて第一および第二取付孔を通過しない止体１０と、第一帯体の外側面に設けた一側噛合体１１と、第二帯体の内側面に設けた他側噛合体１２とを備えさる。【選択図】図２
0003102112.tif 000002
【実用新案登録請求の範囲】
【請求項１】
本体と、本体の他側部に設けて物品に係止させてこの物品を吊持させるフック体と、前記本体の一側部において第一取付孔と第二取付孔へそれぞれ設けて、杆体等の吊持部材に係合する着脱部材とを有する物品吊持具にあって、
前記着脱部材は、前記吊持部材の外周に巻き付いて包持し得る帯状に形成されていて、
該着脱部材は、前記本体の第一取付孔へ挿着されてその外端部を開放させた第一帯体と、前記本体の第二取付孔へ挿着されてその外端部を開放させた第二帯体と、これら第一帯体と第二帯体との内端部における当接部に設けて前記第一取付孔および第二取付孔を通過しない止体と、前記第一帯体の外側面に設けた面状ファスナーにおける一側噛合体と、前記第二帯体の内側面に設けた面状ファスナーにおける他側噛合体とを備えさせたことを特徴とする物品吊持具。
【請求項２】
本体と、本体の他側部に設けて物品に係止させてこの物品を吊持させるフック体と、前記本体の一側部において第一取付孔と第二取付孔へそれぞれ設けて、杆体等の吊持部材に係合する着脱部材とを有する物品吊持具にあって、
前記着脱部材は、前記吊持部材の外周に巻き付いて包持し得る帯状に形成されていて、
該着脱部材は、前記本体の第一取付孔へ挿着されてその外端部を開放させた第一帯体と、前記本体の第二取付孔へ挿着されてその外端部を開放させた第二帯体と、これら第一帯体と第二帯体との内端部における当接部に設けて前記第一取付孔および第二取付孔を通過しない止体と、前記第一帯体の外側面に設けた面状ファスナーにおける一側噛合体と、前記第二帯体の内側面に設けた面状ファスナーにおける他側噛合体と、前記第一帯体の内側面に設けて前記吊持部材の外面に当接する滑り止め部材とを備えさせたことを特徴とする物品吊持具。
【請求項３】
本体の一側部において、その長手方向を横断した該断面が円形を有する吊持部材へ取り付ける物品吊持具にあって、
前記吊持部材の外面に当接する本体の外側部を、前記吊持部材の外面に見合う円弧状に形成させたことを特徴とする請求項１または２記載の物品吊持具。
【考案の詳細な説明】
【技術分野】
【０００１】
本考案は、棒状またはパイプ状の吊持部材へ簡単かつ確実に取り付けて固定させることができる物品吊持具に関する。
【背景技術】
【０００２】
従来、パイプなどへ巻き付けて固定し、小物などを吊り下げておくフックが知られている（図６（ａ），（ｂ）参照）。
このフック６０は、取付部材６１の一端部に、ベルト状に形成した面状ファスナーからなるベルト体６２の基部を固定し、取付部材６１の下部にフック体６３を取り付けたもので、使用にあっては、図６（ｂ）に示すように、パイプ６４の外周へベルト体６２を巻き付け、その他端部を取付部材６１に設けた係止孔６５へその内側から挿入して係止孔６５の外側へ折り返し、このベルト体６２を弛み（パイプ６４との間に隙間）がないように絞り上げた後、パイプ６４に巻き付けたベルト体６２における面状ファスナーの一側片６２ａと該ベルト体６２の他端部における面状ファスナーの他側片６２ｂとを接合する。
そして、取付部材６１下部のフック体６３へ小物６６を吊り下げるものである。
【０００３】
このフック６０は、前記取り付けの際に、その都度係止孔６５へベルト体６２を嵌め込む操作が必要となるばかりか、係止孔６５から引き出したベルト体６２の他端部を折り返して接合させなければならず、しかも、このフック６０の取り外しの場合には、前記折り返して接合されたベルト体６２の他端部を引き剥がし、更に、取付部材６１の係止孔６５からベルト体６２を引き抜かなければ、パイプ６４より該フック６０を分離させることができないので、その操作性が極めて悪く、使用しにくいものであった。
【０００４】
また、フック体６３に吊り下げた小物６６の荷重が下方へ掛かるため、パイプ６４に巻き付けたベルト体６２が下方へ引っ張られ、該パイプ６４とベルト体６２内面との間に生じた隙間によって、このフック６０が、図６（ｂ）において矢印Ｘに示す方向へ容易に移動してしまう不都合を生ずる。特に、パイプ６４が少しでも傾斜した取付状態であると、自然にフック６０が下方へ移動してしまうので、例えば、ベビーカーの取っ手（パイプ６４）にこのフック６０取り付けた場合には、走行時に、この取っ手（パイプ６４）に沿って動き、小物６６を落下させたり、他物に当たったりすることがあった。
【考案の開示】
【考案が解決しようとする課題】
【０００５】
本考案は、前記した問題点を解決するためになされたもので、本体の下部に物品に係止させてこの物品を吊持させるフック体を設け、本体の上部に杆体等の吊持部材に係合する着脱部材とを設けた物品吊持具にあって、着脱部材は、本体の第一取付孔へ挿着されてその外端部を開放させた第一帯体と、本体の第二取付孔へ挿着されてその外端部を開放させた第二帯体と、これら第一および第二帯体との内端部における当接部に設けて第一および第二取付孔を通過しない止体と、第一帯体の外側面に設けた面状ファスナーにおける一側噛合体と、第二帯体の内側面に設けた面状ファスナーにおける他側噛合体とを備えさることにより、棒状またはパイプ状の吊持部材へ簡単かつ確実に取り付けて固定させることができる物品吊持具を提供することを目的としている。
【課題を解決するための手段】
【０００６】
前記した目的を達成するための本考案の手段は、
本体と、本体の他側部に設けて物品に係止させてこの物品を吊持させるフック体と、前記本体の一側部において第一取付孔と第二取付孔へそれぞれ設けて、杆体等の吊持部材に係合する着脱部材とを有する物品吊持具にあって、
前記着脱部材は、前記吊持部材の外周に巻き付いて包持し得る帯状に形成されていて、
該着脱部材は、前記本体の第一取付孔へ挿着されてその外端部を開放させた第一帯体と、前記本体の第二取付孔へ挿着されてその外端部を開放させた第二帯体と、これら第一帯体と第二帯体との内端部における当接部に設けて前記第一取付孔および第二取付孔を通過しない止体と、前記第一帯体の外側面に設けた面状ファスナーにおける一側噛合体と、前記第二帯体の内側面に設けた面状ファスナーにおける他側噛合体とを備えさせた物品吊持具の構成にある。
【０００７】
また、
本体と、本体の他側部に設けて物品に係止させてこの物品を吊持させるフック体と、前記本体の一側部において第一取付孔と第二取付孔へそれぞれ設けて、杆体等の吊持部材に係合する着脱部材とを有する物品吊持具にあって、
前記着脱部材は、前記吊持部材の外周に巻き付いて包持し得る帯状に形成されていて、
該着脱部材は、前記本体の第一取付孔へ挿着されてその外端部を開放させた第一帯体と、前記本体の第二取付孔へ挿着されてその外端部を開放させた第二帯体と、これら第一帯体と第二帯体との内端部における当接部に設けて前記第一取付孔および第二取付孔を通過しない止体と、前記第一帯体の外側面に設けた面状ファスナーにおける一側噛合体と、前記第二帯体の内側面に設けた面状ファスナーにおける他側噛合体と、前記第一帯体の内側面に設けて前記吊持部材の外面に当接する滑り止め部材とを備えさせた物品吊持具の構成にある。
【０００８】
本体の一側部において、その長手方向を横断した該断面が円形を有する吊持部材へ取り付ける物品吊持具にあって、
前記吊持部材の外面に当接する本体の外側部を、前記吊持部材の外面に見合う円弧状に形成させる。
【考案の効果】
【０００９】
本考案は、棒状またはパイプ状の吊持部材に対してワンタッチ操作により簡単に着脱させることができ、しかも、その取り付けを強固で確実に行うことができる。
また、吊持部材の外面に当接する滑り止め部材を設けることにより、吊り下げた小物と荷重によって、吊持部材と第一帯体の内側面との間に隙間を生じても、物品吊持具の横滑りや滑り落ちをできるだけ抑えることができ、小物の固定性を可及的向上させる。
【考案を実施するための最良の形態】
【００１０】
次に、本考案に関する物品吊持具の一実施例を図面に基づいて説明する。
図１〜図４においてＡは物品吊持具で、吊持部材ｂへ着脱自在に設けて小物等の物品ｃを簡便に吊持させることができるものであって、本体１と、フック体２と、着脱部材３とにより基本的に構成される。
なお、吊持部材ｂは、例えば、ベビーカー・シルバーカーの取っ手やベッドにおけるパイプ枠，車のヘッドレスト，クローゼット収納用パイプ，洗濯物干しなど杆体（棒状やパイプ状）に形成されている形態のものであれば任意な使用用途が選定される。
【００１１】
前記した本体１は、合成樹脂等の堅牢な素材により内部を空洞状の枠状に形成して、その一側部（外側部１ａ）が吊持部材ｂの外周面へ当接するように設けられている。
なお、該本体１の一側部において、吊持部材ｂの外面に当接する該本体１の外側部１ａを、吊持部材ｂの外面に見合う円弧状に形成させてあるもので、吊持部材ｂがその長手方向を横断した該断面が円形を有する（図２等参照）場合にあっては、この構成により、吊持部材ｂの外面への当接面積が可及的増大して、本体１の安定当接が図られる。
【００１２】
前記したフック体２は、本体１の他側部に設けて物品ｃに係止させてこの物品ｃを吊持させるもので、略しの字状に形成して、その切り欠き部２ａから物品ｃに対して係止できるようにしてある。
このフック体２は、その先端部を球状に形成した軸状の基部５を、本体１他側部の軸受部４に対して、その軸方向を中心に回動自在となるように取り付けられていて、切り欠き部２ａの方向を３６０゜任意の向きに変更できるようにしてある。
【００１３】
更に、軸受部４に対する基部５の取り付けは、図１および図２に示すように、本体１の長さ方向に対してフック体２の基部５の軸方向に対して直線状に設けることができ、この場合、本体１は吊持部材ｂの下側に位置する。
また、該取り付けは、本体１の長さ方向に対して略直交する方向へ回動させることもできるもので、図４に示すように、吊持部材ｂの側方へ本体１を位置させることができる。
【００１４】
前記した着脱部材３は、本体１の一側部（外側部１ａ）において、その両側にそれぞれ形成された第一取付孔６と第二取付孔７へそれぞれ設けて、該第一取付孔６と第二取付孔７との外側より側方へ張り出すように取り付けられていて、杆体等の吊持部材ｂに係合する。この第一取付孔６と第二取付孔７とは、本体１の一側部（外側部１ａ）が吊持部材ｂの長さ方向へ平行して取り付けたとき、吊持部材ｂの長さ方向に対して両側部に対応するように設けられる。
【００１５】
そして、この着脱部材３は、吊持部材ｂの外周面部へ巻き付いて包持し得る長さと幅を有する可撓性の帯状に形成されている。
更に、該着脱部材３は、本体１の第一取付孔６へ挿着されてその外端部を開放させた第一帯体８と、本体１の第二取付孔７へ挿着されてその外端部を開放させた第二帯体９と、これら第一帯体８と第二帯体９との内端部における当接部に設けて第一取付孔６および第二取付孔７を通過しない止体１０と、第一帯体８の外側面に設けた慣用の面状ファスナーにおける一側噛合体１１と、第二帯体９の内側面に設けた慣用の面状ファスナーにおける他側噛合体１２とを備える。
【００１６】
前記した止体１０は、図２等に示すように、着脱部材３における第一帯体８と第二帯体９とを別体に成形し、これら第一帯体８と第二帯体９との内端部を重ね合わせて接合することで、第一取付孔６と第二取付孔７との開口窓孔間隔より厚く（大きく）なり、第一取付孔６あるいは第二取付孔７をこの止体１０が通過できなくなり、該止体１０が着脱部材３の側方移動を規制するストッパー機能を発揮するため、この着脱部材３は、第一取付孔６や第二取付孔７から抜け出て、本体１と分離してしまう不都合を解消する。更には、止体１０が本体１の空洞部に不動的に位置することで、第一帯体８と第二帯体９とが常に同じ長さ（あらかじめ定められた長さ）の張り出し量に保持される。
【００１７】
更に、この止体１０は、着脱部材３における第一帯体８と第二帯体９とを一連の一体物により成形した場合でも、これら帯体８，９との内端部における当接部（この場合は一連物の略中間部）に、図５（ａ）に示すように、第一取付孔６および第二取付孔７の窓孔大きさより大きいリベットやホック等の止体１０が本体１の空洞部に位置するように固着される。あるいは、図５（ｂ）に示すように、一連物の帯体８，９の略中間部を折曲させて第一取付孔６および第二取付孔７の窓孔大きさより大きく形成させた該折曲部を縫製等により固着させた止体１０を設けてもよい。
【００１８】
なお、図１〜図２，図４において２０は滑り止め部材で、第一帯体８の内側面に設けて、吊持部材ｂの外面に当接するもので、例えば、ポリウレタンや塩化ビニル等の軟質系合成樹脂により成形された一体シート状のものや、複数本からなる線状体，丸形や角形等の所定形状に成形された多数個を散在させたもの等、吊持部材ｂの外面に対して所定の摩擦抵抗が得られるものであれば任意のものが選定し得る。
【００１９】
したがって、前記のように構成される本考案実施例の物品吊持具Ａは、その使用にあって、着脱部材３の第一帯体８および第二帯体９に設けた面状ファスナーである一側噛合体１１と他側噛合体１２が噛合しているときは、図１に示すように、これら一側噛合体１１と他側噛合体１２を引き剥がして、本体１における一側部１ａが大きく開放した状態にする。
このとき、着脱部材３における第一帯体８および第二帯体９は、本体１の空洞部に位置する止体１０によって、その長さ方向の略中間部に保持され、更に、この着脱部材３が、本体１における第一取付孔６や第二取付孔７から抜け出て、該本体１から分離してしまう不都合がない。
【００２０】
そして、本体１の一側部（外側部１ａ）を吊持部材ｂの外周面へ当接させ、該本体１に付設させた着脱部材３における第一帯体８を、吊持部材ｂの外周面へ巻き付けて、その内周面に設けた滑り止め部材２０を吊持部材ｂの外周面に密着させる。
更に、第二帯体９を吊持部材ｂの外周面へ、および第一帯体８の外周面へ巻き付けて、それぞれの一側噛合体１１と他側噛合体１２とを噛合させる。
これにより、物品吊持具Ａは吊持部材ｂへワンタッチの簡単な操作によって、確実に固定されるもので、吊持部材ｂの外周面に密着した滑り止め部材２０によって、吊持部材ｂに対してその長さ方向への移動はもちろんのこと、吊持部材ｂの円周方向への移動も抑制されて妄動がない。
【００２１】
この状態で、本体１に取り付けたフック体２へその切り欠き部２ａから小物などの物品ｃを吊り下げれば、該物品ｃは安定的に保持される。この物品ｃの荷重が着脱部材３を介して吊持部材ｂへ掛かっても、該着脱部材３がその面状ファスナーからなる一側噛合体１１と他側噛合体１２との噛合によって強固に吊持部材ｂへ巻き付いて容易に離脱しない大きな耐久性を発揮する。
【００２２】
また、物品ｃの荷重によって、吊持部材ｂの外周面と着脱部材３の内面とにわずかな隙間を生ずるが、着脱部材３の滑り止め部材２０が吊持部材ｂの外周面に対して所定の摩擦抵抗を生じて接触しているので、吊持部材ｂに対してその長さ方向への移動および吊持部材ｂの円周方向への移動がなく、着脱部材３の吊持部材ｂに対する締め直しなどの必要がない。
【００２３】
特に、図４に示すように、本体１の長さ方向に対して平面より見て略直交する方向へ回動させた取り付けもできるもので、吊持部材ｂの側方へ本体１を位置させることができる。この場合でも、着脱部材３の滑り止め部材２０が吊持部材ｂの外周面に対して所定の摩擦抵抗を発生させて固定性を発揮し、容易に、本体１が吊持部材ｂに対して回動することなく、その取付時の形態を維持させることができる。
【図面の簡単な説明】
【００２４】
【図１】本考案に関する物品吊持具の一実施例を示す斜視図である。
【図２】図１における物品吊持具の取付状態の一部を破断して示す側面図である。
【図３】図１における物品吊持具の取付状態を示す正面図である。
【図４】図１における物品吊持具の他の例の取付状態の一部を破断して示す側面図である。
【図５】図１における物品吊持具の止体の他の各例を示す要部の側面図である。
【図６】従来のフックを示すもので、（ａ）はベルト体を外した状態の斜視図、（ｂ）は使用状態を示す斜視図である。
【符号の説明】
【００２５】
Ａ…物品吊持具．ｂ…吊持部材．ｃ…物品．１…本体．１ａ…本体１の外側部．２…フック体．３…着脱部材．６…第一取付孔．７…第二取付孔．８…第一帯体．９…第二帯体．１０…止体．１１…一側噛合体．１２…他側噛合体．２０…滑り止め部材．
【図１】
0003102112.tif 000003
【図２】
0003102112.tif 000004
【図３】
0003102112.tif 000005
【図４】
0003102112.tif 000006
【図５】
0003102112.tif 000007
【図６】
0003102112.tif 000008